(57)【要約】【課題】カテーテルの先端部の可動操作に際して、外径が余計に膨張することがないため、体内に挿入および進入させる際の操作性に優れ、確実かつ容易に体内の目的の箇所まで挿入することが可能となり、施術における使い勝手を良くするカテーテルを提供する。【解決手段】カテーテル１０の先端部１１をカテーテル本体１２に、外周が小径に形成され可撓性のある連結シャフト１３を介して連結し、先端部１１とカテーテル本体１２の間に、連結シャフト１３を軸心として軸方向に延び、先端部１１と前記カテーテル本体１２のそれぞれの外周壁に外周面が連なるコイルばね２０を介装させ、連結シャフト１３の外周壁とコイルばね２０の内周面との隙間に、加圧操作により膨張可能なバルーン２１を少なくとも周方向の一箇所に軸方向に延びた状態に内装し、バルーン２１に加圧操作した際、コイルばね２０がバルーン２１の拡径方向への膨張を軸方向への膨張に変換する。【選択図】図１
2010035951.tif 000002
【特許請求の範囲】
【請求項１】
体内に挿入し体液の排出ないし薬液や造影剤等を注入するためのカテーテルにおいて、
先端部をカテーテル本体に、可撓性のある連結シャフトを介して連結し、
前記先端部と前記カテーテル本体の間に、前記連結シャフトを軸心として軸方向に延び、前記先端部と前記カテーテル本体のそれぞれの外周壁に外周面が連なるコイルばねを介装させ、
前記連結シャフトの外周壁と前記コイルばねの内周面との隙間に、加圧操作により膨張可能なバルーンを少なくとも周方向の一箇所に軸方向に延びた状態に内装し、
前記バルーンに加圧操作した際、前記コイルばねが前記バルーンの拡径方向への膨張を軸方向への膨張に変換することにより、該バルーンと軸心を間にして対向する方向へ前記先端部を湾曲可能としたことを特徴とするカテーテル。
【請求項２】
前記コイルばねの外周面を、柔軟性のある円筒形のカバー部材によって被覆したことを特徴とする請求項１に記載のカテーテル。
【請求項３】
前記連結シャフトは管状に形成され、前記先端部に前記連結シャフト内の管路に連通する貫通孔を形成したことを特徴とする請求項１または２に記載のカテーテル。
【請求項４】
前記バルーンを、前記連結シャフトの周方向の複数箇所に互いに対向するように複数内装したことを特徴とする請求項１，２または３に記載のカテーテル。
【請求項５】
前記先端部に、これを包囲する状態に膨張可能な先導バルーンを設けたことを特徴とする請求項１，２，３または４に記載のカテーテル。
【発明の詳細な説明】
【技術分野】
【０００１】
本発明は、体内に挿入して、体液の排出ないし薬液や造影剤等を注入するためのカテーテルに関する。
【背景技術】
【０００２】
従来、この種のカテーテルは、例えば、通常は経鼻あるいは経口にて胃まで挿入させた後、先端部の可動操作により、胃の出口である幽門輪を通過させ、胃に続く十二指腸まで挿入する。このように体内を誘導して小腸まで進入させた後、腸閉塞を起こしている狭窄部付近の造影を行ったり、拡張小腸内の内容物を除去することにより、腸閉塞の診断治療が可能となっていた。
【０００３】
ここでカテーテルの先端部の可動操作は、主にワイヤーによる先端可動部の伸縮や、先端可動部に設けた形状記憶合金による伸縮可動操作が挙げられるが、前者に関しては、長尺カテーテルにおいてワイヤーの抵抗が大きく、操作によりワイヤーが切断する虞があると共に、カテーテルにワイヤーを付設することでカテーテル全体の柔軟性が損なわれるという問題があった。また、後者に関しては、形状記憶合金の加熱による体内組織への影響や温度制御のための冷却制御システムが必要となり、構造の複雑化とコスト高が問題となっていた。
【０００４】
かかる問題を解決し得る従来の技術として、例えば、特許文献１に開示されているように、カテーテル本体の先部近傍位置に、該本体周壁の一方側の領域と、他方側の領域と、の両面領域を各々局部的に外方へ膨らませる一対のガイド用バルーンが、カテーテル本体周壁の正背面位置に対向配置され、かつ前記ガイド用バルーンは、前記本体内に設けたそれぞれの管路と単独に連通して、別々に膨張および収縮を可能に配設してある腸閉塞治療用カテーテルが既に知られている。
【０００５】
【特許文献１】特許第３６９８８３１号公報
【発明の開示】
【発明が解決しようとする課題】
【０００６】
しかしながら、前述した特許文献１に記載の従来の技術では、カテーテル本体の先部近傍位置にあるガイド用バルーンが、軸心に対する放射方向へ大きく膨張するため、この膨張した部位が、複雑かつ狭い体内での進入に際して体腔内壁と接触しやすくなり、接触によってカテーテル全体が座屈して操作不能となる可能性も高く、実際の操作に際して使い勝手が良くないという重要な問題があった。
【０００７】
本発明は、以上のような従来技術が有する問題点に着目してなされたものであり、カテーテルの先端部の可動操作に際して、外径が余計に膨張することがないため、体内に挿入および進入させる際の操作性に優れ、確実かつ容易に体内の目的の箇所まで挿入することが可能となり、施術における使い勝手を良くすることができるカテーテルを提供することを目的とする。
【課題を解決するための手段】
【０００８】
前述した目的を達成するための本発明の要旨とするところは、以下の各項の発明に存する。  
［１］体内に挿入し体液の排出ないし薬液や造影剤等を注入するためのカテーテル（１０，１０Ａ）において、
先端部（１１Ａ）をカテーテル本体（１２）に、可撓性のある連結シャフト（１３）を介して連結し、
前記先端部（１１Ａ）と前記カテーテル本体（１２）の間に、前記連結シャフト（１３）を軸心として軸方向に延び、前記先端部（１１Ａ）と前記カテーテル本体（１２）のそれぞれの外周壁に外周面が連なるコイルばね（２０）を介装させ、
前記連結シャフト（１３）の外周壁と前記コイルばね（２０）の内周面との隙間に、加圧操作により膨張可能なバルーン（２１）を少なくとも周方向の一箇所に軸方向に延びた状態に内装し、
前記バルーン（２１）に加圧操作した際、前記コイルばね（２０）が前記バルーン（２１）の拡径方向への膨張を軸方向への膨張に変換することにより、該バルーン（２１）と軸心を間にして対向する方向へ前記先端部（１１Ａ）を湾曲可能としたことを特徴とするカテーテル（１０，１０Ａ）。
【０００９】
［２］前記コイルばね（２０）の外周面を、柔軟性のある円筒形のカバー部材によって被覆したことを特徴とする［１］に記載のカテーテル（１０，１０Ａ）。
【００１０】
［３］前記連結シャフト（１３）は管状に形成され、前記先端部（１１Ａ）に前記連結シャフト（１３）内の管路に連通する貫通孔（１１ａ）を形成したことを特徴とする［１］または［２］に記載のカテーテル（１０，１０Ａ）。
【００１１】
［４］前記バルーン（２１）を、前記連結シャフト（１３）の周方向の複数箇所に互いに対向するように複数内装したことを特徴とする［１］，［２］または［３］に記載のカテーテル（１０，１０Ａ）。
【００１２】
［５］前記先端部（１１Ａ）に、これを包囲する状態に膨張可能な先導バルーン（３０）を設けたことを特徴とする［１］，［２］，［３］または［４］に記載のカテーテル（１０Ａ）。
【００１３】
前記本発明は次のように作用する。  
前記［１］に記載したカテーテル（１０，１０Ａ）は、その先端部（１１Ａ）がカテーテル本体（１２）に可撓性のある連結シャフト（１３）を介して連結され、先端部（１１Ａ）とカテーテル本体（１２）の間には、連結シャフト（１３）を軸心として軸方向に延びるコイルばね（２０）が介装している。そして、連結シャフト（１３）の外周壁とコイルばね（２０）の内周面との隙間には、加圧操作により膨張可能なバルーン（２１）が内装されている。
【００１４】
このようなカテーテル（１０，１０Ａ）を体内に挿入している際に、その挿入方向を変える時は、前記バルーン（２１）に加圧操作してバルーン（２１）を膨張させる。ここで前記コイルばね（２０）が、バルーン（２１）の拡径方向への膨張を軸方向への膨張に変換するので、該バルーン（２１）と軸心を間にして対向する方向へ、カテーテル（１０，１０Ａ）の先端部（１１Ａ）は湾曲する。このとき、カテーテル（１０，１０Ａ）全体の外径が何ら拡張することはない。
【００１５】
前記［２］に記載したカテーテル（１０，１０Ａ）によれば、コイルばね（２０）の外周面を柔軟性のある円筒形のカバー部材によって被覆したことにより、コイルばね（２０）のピッチ間の隙間より膨張したバルーン（２１）の一部がはみ出すことを抑制することで、カテーテル（１０，１０Ａ）全体の外径をなおさら一定に保つことが可能となる。
【００１６】
前記［３］に記載したカテーテル（１０，１０Ａ）によれば、連結シャフト（１３）は管状に形成され、先端部（１１Ａ）に連結シャフト（１３）内の管路に連通する貫通孔（１１ａ）が形成されているので、これら連結シャフト（１３）ないし先端部（１１Ａ）の貫通孔（１１ａ）より、ガイドワイヤーや内視鏡を挿通させることができ、例えば、前記バルーン（２１）の膨張とは別に、ガイドワイヤー等によって先端部（１１Ａ）の挿入方向を変えることも可能となる。
【００１７】
前記［４］に記載したカテーテル（１０，１０Ａ）によれば、バルーン（２１）を連結シャフト（１３）の周方向の複数箇所に互いに対向するように複数内装したことにより、何れか一つのバルーン（２１）を選択して膨張させることにより、所望する方向へと容易に先端部（１１Ａ）の挿入方向を変えることも可能となる。
【００１８】
前記［５］に記載したカテーテル（１０Ａ）によれば、先端部（１１Ａ）に、該先端部（１１Ａ）を包囲する状態に膨張可能な先導バルーン（３０）を設けたことにより、カテーテル（１０Ａ）を体内に挿入させている際に、例えば、胃から十二指腸に進まなかったり、小腸屈曲部位等の腸壁に先端がぶつかり進まなくなった場合でも、先導バルーン（３０）を適宜膨らませることにより、カテーテル（１０Ａ）の先端部（１１Ａ）を容易に再び進ませることができる。
【発明の効果】
【００１９】
本発明に係るカテーテルによれば、バルーンに加圧操作してバルーンを膨張させても、コイルばねがバルーンの拡径方向への膨張を軸方向への膨張に変換するので、カテーテルの先端部の可動操作に際して、カテーテルの外径が余計に膨張することがなく、体内に挿入および進入させる際の操作性に優れ、確実かつ容易に体内の目的の箇所まで挿入することが可能となり、施術における使い勝手を良くすることができる。
【００２０】
また、連結シャフトを管状に形成し、先端部に連結シャフト内の管路に連通する貫通孔を形成した場合には、これら連結シャフトないし先端部の貫通孔より、ガイドワイヤーや内視鏡を挿通させることができ、バルーンの膨張とは別に、ガイドワイヤー等によって先端部の挿入方向を変えることも可能となる。
【００２１】
さらに、カテーテルの先端部に、これを包囲する状態に膨張可能な先導バルーンを設けた場合は、カテーテルを体内に挿入させている際に、例えば、胃から十二指腸に進まなかったり、小腸屈曲部位等の腸壁に先端がぶつかり進まなくなった場合でも、先導バルーンを適宜膨らませることにより、カテーテルの先端部を容易に再び進ませることができる。
【発明を実施するための最良の形態】
【００２２】
以下、図面に基づき、本発明を代表する各種実施の形態を説明する。  
図１〜図４は、本発明の第１実施の形態を示している。  
図１は、カテーテル１０の先端側の要部を示しており、その先端部１１を湾曲させた状態を一部破断して示す断面図である。図２は、カテーテル１０の先端部１１を真っ直ぐに延ばした状態を一部破断して示す断面図である。また、図３は、図２におけるIII−III線断面の横断面図であり、図４は、同じく図２におけるIV−IV線断面の横断面図である。
【００２３】
本実施の形態に係るカテーテル１０は、体内に挿入して体液の排出ないし薬液や造影剤等を注入するための医療用器具であり、その先端部１１とカテーテル本体１２とから成る。先端部１１はカテーテル本体１２に、連結シャフト１３を介して一体的に連結されている。以下、腸閉塞治療用として用いられる場合を例に説明する。
【００２４】
図１に示すように、先端部１１は、先端が半球状で長手方向に延びる円柱形であり、その軸心に沿って貫通孔１１ａが設けられている。先端部１１は、体内に挿入しやすいように所定の重量を持たせており、例えば、合成樹脂により前記貫通孔１１ａ以外は中実に成形したものの内部に金属やセラミック等の錘を内在させる。
【００２５】
また、先端部１１の外表面は、シリコーンゴムや軟質ポリ塩化ビニル等の柔軟な医療用具に適した材質で被覆すると良い。なお、何れにせよ先端部１１の先端には、貫通孔１１ａが貫通した状態で開口している。
【００２６】
カテーテル本体１２は、シリコーンゴムや軟質ポリ塩化ビニル等の柔軟な医療用具に適した材質からチューブ状に形成されている。カテーテル本体１２の外径は約５〜７ｍｍであり、前記先端部１１とほぼ等しく、全長は約１８００〜３０００ｍｍである。
【００２７】
また、カテーテル本体１２の内部は、図４に示すように、主たる管路でありガイドワイヤーや内視鏡等を通すためのメインルーメン１４の他、その内壁面の一端側の壁内には、それぞれ大きさの異なる２つの多目的ルーメン１５，１６と、後述する可動用バルーンを加圧ないし減圧するための可動用ルーメン１７が、互いに独立した管路として長手方向に亘り形成されている。
【００２８】
メインルーメン１４の先端は、カテーテル本体１２の先端壁に開口して次述の連結シャフト１３と連通接続している。また、各々の多目的ルーメン１５，１６の先端は、それぞれカテーテル本体１２の先端壁に開口しており、体液排出のための入口となったり、薬液や造影剤等を注入するための出口となるように設定されている。
【００２９】
連結シャフト１３は、前記先端部１１やカテーテル本体１２よりも外周が小径に形成され可撓性のある部材であり、前記先端部１１の貫通孔１１ａや前記カテーテル本体１２のメインルーメン１４に連通接続するパイプ状に形成されている。連結シャフト１３の材質は可撓性を有するものであれば何でも良いが、例えば、前記カテーテル本体１２と同様にシリコーンゴムや軟質ポリ塩化ビニル等の柔軟な医療用具に適した材質を用いて形成すると良い。
【００３０】
連結シャフト１３の基端は、前述したようにカテーテル本体１２の先端壁を介してカテーテル本体１２のメインルーメン１４と連通接続しており、一方連結シャフト１３の先端は、前記先端部１１の貫通孔１１ａに連通接続した状態で先端部１１に一体に固定されている。メインルーメン１４から挿入したガイドワイヤーや内視鏡等は、連結シャフト１３内の管路ないし先端部１１の貫通孔１１ａを通すことができるようになっている。
【００３１】
図１に示すように、カテーテル１０の先端部１１とカテーテル本体１２の間には、連結シャフト１３を軸心として軸方向に延びるコイルばね２０が介装されている。コイルばね２０の外径は、先端部１１やカテーテル本体１２の外径とほぼ等しく、これらの外周壁にコイルばね２０の外周面が連なる状態で、コイルばね２０の基端側は、カテーテル本体１２の先端側の外周に沿って接続固定され、一方コイルばね２０の先端側は、先端部１１の基端側の外周に沿って接続固定されている。
【００３２】
図中では、コイルばね２０は外部に露出しているが、このコイルばね２０の外周面を柔軟性のある円筒形のカバー部材（図示せず。）によって被覆しても良い。かかる場合、カバー部材の基端側は、カテーテル本体１２の先端側に固定されたコイルばね２０に外嵌させた状態で接着し、一方カバー部材の先端側は、先端部１１の基端側に固定されたコイルばね２０に外嵌させた状態で接着すると良い。カバー部材の材質は、柔軟性のあるものであれば何でも良いが、例えば、前記カテーテル本体１２と同様に、シリコーンゴムや軟質ポリ塩化ビニル等の柔軟な医療用具に適した材質を用いると良い。
【００３３】
図１および図３に示すように、連結シャフト１３の外周壁とコイルばね２０の内周面との隙間に、加圧操作により膨張可能なバルーン２１が内装されている。本実施の形態においてバルーン２１は、図３に示すように、連結シャフト１３の周方向における一箇所に軸方向に延びた状態に内装されている。バルーン２１の材質は、柔軟性があり弾性変形可能な材質であれば何でも良いが、例えばシリコーンゴム等が適している。
【００３４】
詳しく言えば、バルーン２１は、カテーテル本体１２の軸方向に沿って長手方向に延びる細幅のゴム風船状のものであり、その基端には、前記カテーテル本体１２の先端壁に開口した可動用ルーメン１７が連通接続されている。可動用ルーメン１７から空気等の流体を注入し、バルーン２１に加圧操作した際、コイルばね２０が前記バルーン２１の拡径方向（軸方向と直交する方向）への膨張を軸方向への膨張に変換することにより、図１に示すように、該バルーン２１と軸心を間にして対向する方向へ、先端部１１は湾曲するように設定されている。
【００３５】
次に、本実施の形態に係るカテーテル１０の作用を説明する。    
例えば、腸閉塞の診断治療に際しては、先ず患者の鼻腔あるいは口腔よりカテーテル１０を胃内に挿入し、内視鏡やガイドワイヤーによる誘導によって、先端部１１を、幽門輪を越えさせて十二指腸下行脚まで到達させる。このようなカテーテル１０の挿入過程において、その挿入方向を変える時は、可動用ルーメン１７の上流端に接続する注入器より、滅菌蒸留水等の液体あるいは空気等の気体を注入してバルーン２１を加圧操作し、バルーン２１を膨張させる。
【００３６】
このとき、膨張するバルーン２１はコイルばね２０に囲まれており、このコイルばね２０が、バルーン２１の拡径方向への膨張を軸方向への膨張に変換する。すなわち、コイルばね２０の外径は拡径することなく、該コイルばね２０のバルーン２１に接する側だけのピッチが広がるため、図１に示すように、先端部１１は、バルーン２１と軸心を間にして対向する方向へ湾曲する。
【００３７】
それにより、カテーテル１０の先端部１１の可動操作に際して、カテーテル１０の外径が余計に膨張することがなく、体内に挿入および進入させる際の操作性に優れ、確実かつ容易に体内の目的の箇所まで挿入することが可能となる。先端部１１が湾曲する角度は、バルーン２１に送られる液体ないし気体の量を加減することにより適宜調整することができる。なお、加圧操作により膨張したバルーン２１は、逆の減圧操作によって、図２に示す元の状態に復元することは言うまでもない。
【００３８】
また、コイルばね２０の外周面を、柔軟性のある円筒形のカバー部材によって被覆した場合には、コイルばね２０のピッチ間の隙間より膨張したバルーン２１の一部がはみ出すことを抑制することで、カテーテル１０全体の外径をなおさら一定に保つことが可能となる。
【００３９】
さらに、本実施の形態に係るカテーテル１０によれば、連結シャフト１３は管状に形成され、先端部１１には、連結シャフト１３内の管路に連通する貫通孔１１ａが形成されているので、これら連結シャフト１３内の管路ないし先端部１１の貫通孔１１ａより、ガイドワイヤーや内視鏡を挿通させることができ、例えば、前記バルーン２１の膨張とは別に、ガイドワイヤー等によって先端部１１の挿入方向を変えることも可能となる。
【００４０】
なお、図１〜図４に示すカテーテル１０では、メインルーメン１４から挿入したガイドワイヤーや内視鏡等を、パイプ状の連結シャフト１３内の管路ないし先端部１１の貫通孔１１ａを通すことができるように構成して、いわゆるガイドワイヤー挿入方向性操作機能を付加しているが、かかる機能が不要である場合には、図５に示す変形例のように、連結シャフト１３をパイプ状ではなく中実の円柱形軸状に形成しても良い。
【００４１】
図６〜図１０は、本発明の第２実施の形態を示している。  
本実施の形態に係るカテーテル１０Ａは、基本的には第１実施の形態に係るカテーテル１０と同等の構造であるが、先端部１１Ａの形状の他、該先端部１１Ａに、これを包囲する状態に膨張可能な先導バルーン３０を設けた点で異なる。なお、第１実施の形態と同種の部位には同一符号を付して重複した説明を省略する。
【００４２】
図６および図７に示すように、先端部１１Ａは長さと直径がほぼ等しい円柱形に形成されており、その軸心に沿って貫通孔（図示せず。）が設けられている。この先端部１１Ａのみならず、連結シャフト１３、コイルばね２０、およびカテーテル本体１２の先端側を包囲するように、先導バルーン３０は設けられている。先導バルーン３０の先端は、先端部１１Ａの先端壁に接着され、一方先導バルーン３０の後端も、カテーテル本体１２の外周壁に接着されている。
【００４３】
図９に示すように、カテーテル本体１２の内部は、主たる管路でありガイドワイヤーや内視鏡等を通すためのメインルーメン１４の他、その内壁面の一端側の壁内に、それぞれ大きさの異なる多目的ルーメン１５、可動用ルーメン１７、それに先導バルーン３０を加圧ないし減圧するための先導用ルーメン１８が、互いに独立した管路として長手方向に亘り形成されている。
【００４４】
ここで先導用ルーメン１８の先端は、図６に示すように、先導バルーン３０の内側にてカテーテル本体１２の先端側の外周壁に開口し、先導バルーン３０の内部と連通している。なお、先導バルーン３０の材質は、前記バルーン２１と同様に、柔軟性があり弾性変形可能な材質であれば何でも良いが、例えばシリコーンゴム等が適している。
【００４５】
このような第２実施の形態に係るカテーテル１０Ａによれば、先導用ルーメン１８より空気等の流体を注入し、先導バルーン３０に加圧操作することにより、図１０に示す状態に先導バルーン３０を膨張させることができる。これにより、カテーテル１０Ａを体内に挿入させている際に、例えば、胃から十二指腸に進まなかったり、小腸屈曲部位等の腸壁に先端がぶつかり進まなくなった場合でも、先導バルーン３０を適宜膨らませることにより、カテーテル１０Ａの先端部１１Ａを容易に再び進ませることができる。また、カテーテル１０Ａの抜け防止としても作用する。
【００４６】
なお、図６〜図１０に示すカテーテル１０Ａでは、メインルーメン１４から挿入したガイドワイヤーや内視鏡等を、パイプ状の連結シャフト１３内の管路ないし先端部１１の貫通孔１１ａを通すことができるように構成して、いわゆるガイドワイヤー挿入方向性操作機能を付加しているが、かかる機能が不要である場合には、図１１に示す変形例のように、連結シャフト１３をパイプ状ではなく中実の円柱形軸状に形成しても良い。これは、図５に示す第１実施の形態の変形例と同種の構造となる。
【００４７】
以上、本発明の実施の形態を図面によって説明してきたが、具体的な構成は前述した実施の形態に限られるものではなく、本発明の要旨を逸脱しない範囲における変更や追加があっても本発明に含まれる。例えば、前記実施の形態では、バルーン２１を連結シャフト１３の周方向における一箇所だけに内装したが、例えば、複数箇所に互いに対向するように複数内装しても良い。２つ内装する場合には、各バルーン２１は互いに１８０度の角度で対向し、３つ内装する場合には、各バルーン２１は互いに１２０度の角度で対向することになる。
【００４８】
このように、バルーン２１を連結シャフトの周方向の複数箇所に互いに対向するように複数内装した場合には、何れか一つのバルーン２１を選択して膨張させることにより、所望する方向へと容易に先端部の挿入方向を変えることも可能となる。なお、バルーン２１を周方向ではなく、カテーテル１０の軸方向に沿って複数並設しても良い。かかる場合には、さらに深い角度で湾曲させることができる。
【００４９】
さらに、先導バルーン３０に関しても、先端部１１Ａの先端だけではなく、その基端の位置にもカテーテル１０Ａの軸方向に沿って複数並設しても良い。これにより、先端部１１Ａが腸の屈曲により腸壁にぶつかりそれ以上進めなくなっている状態の時、例えば、前方の先導バルーン３０を適度な大きさに膨らませ後方の先導バルーン３０を縮小させる等の蠕動運動によって、先端部１１Ａの挿入操作を再開させることができる。
【図面の簡単な説明】
【００５０】
【図１】本発明の第１実施の形態に係るカテーテルの先端部を湾曲させた状態を一部破断して示す縦断面図である。
【図２】本発明の第１実施の形態に係るカテーテルの先端部を真っ直ぐに延ばした状態を一部破断して示す縦断面図である。
【図３】図２におけるIII−III線断面の横断面図である。
【図４】図２におけるIV−IV線断面の横断面図である。
【図５】本発明の第１実施の形態に係るカテーテルの変形例を示す横断面図である。
【図６】本発明の第２実施の形態に係るカテーテルの先端部を湾曲させた状態を一部破断して示す縦断面図である。
【図７】本発明の第２実施の形態に係るカテーテルの先端部を真っ直ぐに延ばした状態を一部破断して示す縦断面図である。
【図８】図７におけるVIII−VIII線断面の横断面図である。
【図９】図７におけるIX−IX線断面の横断面図である。
【図１０】本発明の第２実施の形態に係るカテーテルの先導バルーンを膨張させた状態を一部破断して示す縦断面図である。
【図１１】本発明の第２実施の形態に係るカテーテルの変形例を示す横断面図である。
【符号の説明】
【００５１】
１０…カテーテル
１０Ａ…カテーテル
１１…先端部
１１Ａ…先端部
１１ａ…貫通孔
１２…カテーテル本体
１３…連結シャフト
１４…メインルーメン
１５…多目的ルーメン
１６…多目的ルーメン
１７…可動用ルーメン
１８…先導用ルーメン
２０…コイルばね
２１…バルーン
３０…先導バルーン
【図１】
2010035951.tif 000003
【図２】
2010035951.tif 000004
【図３】
2010035951.tif 000005
【図４】
2010035951.tif 000006
【図５】
2010035951.tif 000007
【図６】
2010035951.tif 000008
【図７】
2010035951.tif 000009
【図８】
2010035951.tif 000010
【図９】
2010035951.tif 000011
【図１０】
2010035951.tif 000012
【図１１】
2010035951.tif 000013